(57)【要約】【課題】炊飯終了までの炊飯残時間を表示する炊飯器において、炊飯の進行とともに残時間を適切に修正しつつ、かつ使用者に違和感のない表示を実現する炊飯器を提供する。【解決手段】米や水を入れる鍋１を加熱手段２により加熱し、この加熱手段２を制御手段を構成するマイクロコンピュータ３により予め記憶されている炊飯シーケンスに従い制御し、炊飯終了までの炊飯残時間を残時間計時手段を構成するマイクロコンピュータ３により計時し、この残時間計時手段が計時する炊飯残時間を液晶表示装置４により表示する。残時間計時手段は、計時速度が炊飯シーケンスの進行により変化するようにする。【選択図】  図１
2004313573.tif 000002
【特許請求の範囲】
【請求項１】
米や水を入れる鍋と、この鍋を加熱する加熱手段と、この加熱手段を予め記憶されている炊飯シーケンスに従い制御する制御手段と、炊飯終了までの炊飯残時間を計時する残時間計時手段と、この残時間計時手段が計時する炊飯残時間を表示する残時間表示手段とを備え、前記残時間計時手段は、計時速度が炊飯シーケンスの進行により変化するようにした炊飯器。
【請求項２】
炊飯シーケンスが所定の工程を通過すると副炊飯残時間の計時を開始する副残時間計時手段を備え、残時間計時手段は、炊飯残時間が前記副残時間計時手段が計時する副炊飯残時間に到達すると、標準の計時速度に戻るようにした請求項１記載の炊飯器。
【請求項３】
炊飯シーケンスが所定の工程を通過すると副炊飯残時間の計時を開始する副残時間計時手段を備え、残時間表示手段は、炊飯残時間が前記副残時間計時手段が計時する副炊飯残時間に到達すると、副炊飯残時間を表示するようにした請求項１記載の炊飯器。
【請求項４】
残時間表示手段は、炊飯残時間の計時速度が変化しているときと、していないときとで表示に違いがあるようにした請求項１記載の炊飯器。
【請求項５】
残時間表示手段は、炊飯残時間が副炊飯残時間に到達すると、その旨を表示するようにした請求項２または３記載の炊飯器。
【請求項６】
炊飯残時間の計時速度を速めることを要求する加速要求手段を備え、この加速要求手段からの要求がある場合、残時間計時手段は計時速度を更に速めて計時するようにした請求項２または３記載の炊飯器。
【請求項７】
炊飯残時間の表示の切り替えを要求する切替要求手段を備え、この切替要求手段からの要求で残時間表示手段は副炊飯残時間の表示に切り替えて表示するようにした請求項２または３記載の炊飯器。
【発明の詳細な説明】
【０００１】
【発明の属する技術分野】
本発明は、炊飯終了までの炊飯残時間を表示する炊飯器に関するものである。
【０００２】
【従来の技術】
従来、この種の炊飯残時間を表示する炊飯器は、炊飯を開始するとともに残時間表示手段に炊飯が終了するまでの目安である炊飯残時間を表示し、その経過とともに炊飯残時間を所定の時間、例えば１分単位で減算していき、炊飯の進行に伴い残時間修正手段がその炊飯残時間を短縮方向に修正するように構成にしている（例えば、特許文献１参照）。
【０００３】
炊飯に要する時間は、炊飯量や水温、電源電圧変動などの要因があり、例えば炊飯量が要因の場合、その量が多いと炊飯に要する時間は長くなり、逆に少ないと炊飯に要する時間は短くなる。これは、炊き上げを行う炊き上げ工程に実施する時間が炊飯量によって変動するからである。逆に、炊き上げ工程前の米に吸水させる浸漬工程や炊き上げ工程後のむらしを行うむらし工程の両工程は炊飯量に関わらず時間は不変である場合が多い。
【０００４】
このように、炊飯量などによって時間が変動する炊き上げ工程を挟んで炊飯残時間を表示させる場合、むらし工程に移行したときに炊飯が終了するまでの時間は一定になるので、その値に残時間修正手段が短縮修正するようにしていた。
【０００５】
【特許文献１】
特開平１０−１５３００号公報（第３−８頁、第１図）
【０００６】
【発明が解決しようとする課題】
しかしながら、上記従来の構成では、炊飯残時間の修正が短縮方向のみなので、炊飯が開始されて炊飯残時間の表示をはじめる場合、例えば最大炊飯量のときなど、想定される最大の炊飯時間を考慮した値を初期値として設定しなければならず、初期表示の炊飯残時間と実際に炊飯で要する時間とに差が出やすいという問題を有していた。
【０００７】
また、上記従来の構成では、残時間修正手段が残時間を短縮方向に修正しているので、例えば炊飯残時間を１分単位で表示している場合、「残り２０分」と表示されているとき、むらし工程を開始した瞬間などに「残り１０分」と表示が変わるので、使用者はいきなり残時間が１０分も間がとんでしまったことに違和感を感じてしまうという問題を有していた。
【０００８】
本発明は上記従来の課題を解決するもので、炊飯の進行とともに残時間を適切に修正しつつ、かつ使用者に違和感のない表示を実現する炊飯器を提供することを目的としている。
【０００９】
【課題を解決するための手段】
本発明は上記目的を達成するために、米や水を入れる鍋を加熱手段により加熱し、この加熱手段を制御手段により予め記憶されている炊飯シーケンスに従い制御し、炊飯終了までの炊飯残時間を残時間計時手段により計時し、この残時間計時手段が計時する炊飯残時間を残時間表示手段により表示するよう構成し、残時間計時手段は、計時速度が炊飯シーケンスの進行により変化するようにしたものである。
【００１０】
これによって、炊飯残時間を表示しつつ、炊飯シーケンスの進行とともに炊飯残時間の計時速度を速めたり遅めたりと柔軟に変化させることで、炊飯残時間を短縮方向にも延長方向にも修正でき、かつ炊飯残時間の表示は表示時間の最小単位で減算でき、時間をとばすことなく連続的に減算表示することができ、使用者に違和感のない表示を実現することができる。
【００１１】
【発明の実施の形態】
本発明の請求項１に記載の発明は、米や水を入れる鍋と、この鍋を加熱する加熱手段と、この加熱手段を予め記憶されている炊飯シーケンスに従い制御する制御手段と、炊飯終了までの炊飯残時間を計時する残時間計時手段と、この残時間計時手段が計時する炊飯残時間を表示する残時間表示手段とを備え、前記残時間計時手段は、計時速度が炊飯シーケンスの進行により変化するようにしたものであり、炊飯残時間を表示しつつ、炊飯シーケンスの進行とともに炊飯残時間の計時速度を速めたり遅めたりと柔軟に変化させることができるので、炊飯残時間を短縮方向にも延長方向にも修正でき、かつ炊飯残時間の表示は表示時間の最小単位で減算でき、時間をとばすことなく連続的に減算表示することができ、使用者に違和感のない表示を実現することができる。
【００１２】
請求項２に記載の発明は、上記請求項１に記載の発明において、炊飯シーケンスが所定の工程を通過すると副炊飯残時間の計時を開始する副残時間計時手段を備え、残時間計時手段は、炊飯残時間が前記副残時間計時手段が計時する副炊飯残時間に到達すると、標準の計時速度に戻るようにしたものであり、副炊飯残時間として所定の工程開始から炊飯終了までの正確な時間を設定しておくと、その工程開始時に副炊飯残時間の計時が始まり、かつ計時速度の変化した炊飯残時間がその副炊飯残時間の値に到達すると計時速度は標準である実時間での計時速度に戻るので、それ以降は正確な炊飯残時間を表示し計時していくことができる。
【００１３】
請求項３に記載の発明は、上記請求項１に記載の発明において、炊飯シーケンスが所定の工程を通過すると副炊飯残時間の計時を開始する副残時間計時手段を備え、残時間表示手段は、炊飯残時間が前記副残時間計時手段が計時する副炊飯残時間に到達すると、副炊飯残時間を表示するようにしたものであり、副炊飯残時間として所定の工程開始から炊飯終了までの正確な時間を設定しておくと、その工程開始時に副炊飯残時間の計時が始まり、かつ計時速度の変化した炊飯残時間がその副炊飯残時間の値に到達すると残時間の表示は副炊飯残時間の表示になるので、それ以降は正確な炊飯残時間を表示し計時していくことができる。
【００１４】
請求項４に記載の発明は、上記請求項１に記載の発明において、残時間表示手段は、炊飯残時間の計時速度が変化しているときと、していないときとで表示に違いがあるようにしたものであり、使用者はその表示を確認することで、計時速度が変化中であるかを認知することができる。
【００１５】
請求項５に記載の発明は、上記請求項２または３に記載の発明において、残時間表示手段は、炊飯残時間が副炊飯残時間に到達すると、その旨を表示するようにしたものであり、使用者はその表示を確認することで、表示されている炊飯残時間が炊飯終了までの正しい時間であることを認知することができる。
【００１６】
請求項６に記載の発明は、上記請求項２または３に記載の発明において、炊飯残時間の計時速度を速めることを要求する加速要求手段を備え、この加速要求手段からの要求がある場合、残時間計時手段は計時速度を更に速めて計時するようにしたものであり、加速要求手段からの要求があると残時間計時手段の計時速度がさらに速くなるか、あるいは遅くなるので、副炊飯残時間に到達する時間をはやめることができる。
【００１７】
請求項７に記載の発明は、上記請求項２または３に記載の発明において、炊飯残時間の表示の切り替えを要求する切替要求手段を備え、この切替要求手段からの要求で残時間表示手段は副炊飯残時間の表示に切り替えて表示するようにしたものであり、任意に副炊飯残時間の表示に切り替えることができる。
【００１８】
【実施例】
以下、本発明の実施例について、図面を参照しながら説明する。
【００１９】
（実施例１）
図１に示すように、鍋１は米や水など調理物を入れるもので、加熱手段２により加熱される。加熱手段２は誘導コイル２１とインバータ回路２２とにより構成し、インバータ回路２２より誘導コイル２１に高周波電流を供給し誘導加熱するようにしている。温度センサ１１は鍋１の温度を検出し、マイクロコンピュータ３に入力している。
【００２０】
マイクロコンピュータ３は制御手段を構成するもので、スタートスイッチ５の入力があると、炊飯動作を開始し、内部タイマと温度センサ１１との入力値により予め記憶されている炊飯シーケンスに従い、米に吸水させる浸漬工程、炊き上げを行う炊き上げ工程、炊き上げ後むらしを行うむらし工程の順に実施し、加熱手段２の加熱動作を制御する。
【００２１】
また、マイクロコンピュータ３は残時間計時手段の機能も有しており、炊飯動作の開始とともに炊飯が終了するまでの目安である炊飯残時間の計時を始め、この計時される炊飯残時間は残時間表示手段を構成する液晶表示装置４に表示するよう構成している。ここで、残時間計時手段は、計時速度が炊飯シーケンスの進行により変化するようにしている。
【００２２】
液晶表示装置４は、図２に示すように、１分単位で表示が可能であり、約１分ごとに表示を減算するようにし、この時間が０になると炊飯が終了するようにしている。約１分ごとに減算しているので、例えば「５分」と表示されているときは残り５分から４分１秒の残り時間を指すようにしている。
【００２３】
上記構成において図３のフローチャートを参照しながら動作を説明する。使用者がスタートスイッチ５を操作して炊飯を開始すると、ステップＳ１でまず炊飯残時間Ｔｄを初期化する。残時間表示手段である液晶表示装置４は１分単位での表示が可能であり、ここでは残り４５分を示す「４５」をセットすることにする。続くステップＳ２で炊飯残時間の計時用の計時タイマｔａを「０」に初期化する。そして、ステップＳ１０で計時タイマｔａの計時速度を決定するタイマしきい値ｔｓを「６０」に初期化する。
【００２４】
ステップＳ３では、残時間表示手段である液晶表示装置４に炊飯残時間Ｔｄを表示する。ステップＳ４では、炊飯シーケンスが進み、むらし工程が開始されたかの判定を行い、開始されたのでなければ、ステップＳ５へと進む。ステップＳ５では計時タイマｔａを１秒ごとに１加算し、続くステップＳ６で計時タイマｔａとタイマしきい値ｔｓとを比較し、計時タイマｔａの値がタイマしきい値ｔｓに到達したか判定を行い、到達していなければステップＳ３へと戻るが、到達していればステップＳ７に進み炊飯残時間Ｔｄを１減算するとともに計時タイマｔａを「０」にする。
【００２５】
このように、計時タイマｔａを１秒ごとに加算し、その後タイマしきい値ｔｓと比較することで、炊飯残時間Ｔｄを減算するタイミング、すなわち減算速度を決定している。タイマしきい値Ｔｓは初期値で「６０」を設定しているので、最初は６０秒ごとに炊飯残時間Ｔｄを１づつ減算することとなる。
【００２６】
ステップＳ５０はステップＳ７の後に続き、炊飯残時間Ｔｄが減算されて「０」になったかを判定する。「０」になっていなければステップＳ３に戻り、「０」になっていれば炊飯を終了する。
【００２７】
さて、ステップＳ４でむらしが開始されたと判定されたときは、ステップＳ５を始める前にステップＳ１１でタイマしきい値ｔｓの計算を行う。むらし工程が開始されると炊飯量に関係なく一定の時間で炊飯を終了させることができる。よって、その時間をむらし所要時間ｔｍとしたとき、炊飯残時間Ｔｄをむらし所要時間ｔｍ秒後に「０」にすることができると、むらし工程開始から正確な時間で炊飯が終了することができることとなる。炊飯残時間Ｔｄは分単位のなので秒単位まで正確な残り時間である炊飯残秒数ｔｚは次の式で算出できる。
【００２８】
ｔｚ＝（Ｔｄ×６０）−ｔａ
例えば、炊飯残時間Ｔｄが「１０」で、計時タイマｔａが「２０」のとき、炊飯残秒数ｔｚは「５８０」（９分４０秒）となる。
【００２９】
ここで、炊飯残時間の減算速度は前述の通りはタイマしきい値ｔｓで調整できるので、むらし所要時間ｔｍと炊飯残秒数ｔｚからこのタイマしきい値ｔｓを算出すればよい。タイマしきい値ｔｓはむらし所要時間を炊飯残秒数で割った比率に６０秒を掛ければ求まるので算出式は次のようになる。
【００３０】
ｔｓ＝（ｔｍ／ｔｚ）×６０
例えば、むらし所要時間ｔｍが「６００」秒（１０分）、むらし工程開始時の炊飯残時間Ｔｄが「１２」で計時タイマｔａが「０」だったとすると炊飯残秒数ｔｚが「７２０」となり、タイマしきい値は「５０」と求まる。
【００３１】
よって、以降、計時タイマｔａは５０をカウントするごとに、炊飯残時間を減算することになる。よって、５０秒のカウントが１２回行われるので６００秒後に炊飯を終了することとなる。なお、この場合、タイマの計時速度は通常の６０秒より早く５０秒で炊飯残時間を減算するので加速方向となる。
【００３２】
例えば、むらし所要時間ｔｍが「６００」秒（１０分）、むらし工程開始時の炊飯残時間Ｔｄが「９」で計時タイマｔａが「４０」だったとすると、炊飯残秒数ｔｚが「５００」となり、タイマしきい値は「７２」と求まる。よって、以降、計時タイマｔａは７２をカウントするごとに、炊飯残時間を減算することになる。よって、７２秒のカウントが８回と７２−４０で３２秒のカウントが１回行われるので、６０８秒後に炊飯を終了することができる。なお、この場合、タイマの計時速度は通常の６０秒より遅く７２秒で炊飯残時間を減算するので減速方向となる。
【００３３】
このように、炊飯残時間を炊飯の開始からむらし工程の開始までは６０秒ごとに減算していき、むらし工程開始から炊飯終了まではむらし工程開始時の炊飯残時間の値に応じた計時速度で減算していくことができる。この計時速度は加速方向にも減速方向にも調整できるので、減算されてきた炊飯残時間がむらし工程を始めたとき、むらし所要時間よりも長ければ加速方向に計時速度を変更し、短ければ減速方向に計時速度を変更できるので、むらし工程開始後は所定の時間に近づけて炊飯を終了することができる。また、残時間表示手段に表示されている時間も時間をとばすことなく、１分単位で減算することができる。
【００３４】
なお、本実施例では、むらし工程開始直後に無条件でタイマしきい値の計算を行っているので、このとき計時タイマの値が「０」でないときに計算を行ってしまうと、計時途中でのタイマしきい値変更が発生し、このとき炊飯が終了するまでの時間に誤差が生じてしまう。
【００３５】
先の例で、むらし所要時間ｔｍが「６００」秒（１０分）、むらし工程開始時の炊飯残時間Ｔｄが「９」で計時タイマｔａが「４０」だったとき、７２秒のカウントが８回と７２−４０で３２秒のカウントが１回行われるので、６０８秒後に炊飯を終了することになり、むらし工程所要時間に比べ、８秒長くなっている。普通、この程度の誤差は問題ないが、時間をより正確にしたい場合は、ステップＳ４のむらし工程開始の判定に加え、計時タイマが「０」になったかどうかの判定を加え、「０」になったときに計算するよう修正すれば、正確な時間で炊飯を終了することができる。
【００３６】
また、本実施例では、むらし工程開始時に計時速度を決める計算を行っているが、これは他の工程開始時でもよいし、複数の工程で実施してももちろんよい。
【００３７】
また、本実施例では、炊飯残時間の計時速度の決定に１秒ごとにカウントしていく計時タイマとこのタイマしきい値の２つを用いて実現したが、これはほかにも１秒そのものを発生させるタイマを調整するなど色々な手段を使っても実現できることはいうまでもない。
【００３８】
（実施例２）
図１に示すマイクロコンピュータは、炊飯シーケンスが所定の工程を通過すると副炊飯時間の計時を開始する副残時間計時手段の機能を追加して有する。ここで、残時間計時手段は、炊飯残時間が副残時間計時手段が計時する副炊飯残時間に到達すると、標準の計時速度に戻るようにしている。他の構成は上記実施例１と同じである。
【００３９】
上記構成において図４および図５のフローチャートを参照しながら動作を説明する。使用者がスタートスイッチ５を操作して炊飯を開始すると、ステップＳ１でまず炊飯残時間Ｔｄを初期化する。残時間表示手段である液晶表示装置４は１分単位での表示が可能であり、ここでは「残り４５分」を示す「４５」をセットすることにする。続くステップＳ２で炊飯残時間の計時用の計時タイマｔａを「０」に初期化する。そして、ステップＳ２０で到達フラグＲＦを「０」に初期化する。
【００４０】
ステップＳ３では、残時間表示手段である液晶表示装置４に炊飯残時間Ｔｄを表示する。ステップＳ４では、炊飯シーケンスが進み、むらし工程が開始されたかの判定を行い、開始されたのでなければステップＳ２３へ進み、開始されたのであればステップＳ２１へ進む。ステップＳ２１では副炊飯残時間の初期値としてむらし開始から炊飯終了までの時間であるむらし所要時間をセットする。ここでは、１０分を示す「１０」をセットすることとする。続くステップＳ２２でこの副炊飯残時間の計時用として使う副計時タイマｔｂを「０」に初期化する。
【００４１】
ステップＳ２３では計時タイマｔａの計時を行う。このステップＳ２３での動作を図５を用いて詳しく説明する。
【００４２】
まず、ステップＳ２３ａで炊飯シーケンスが進み、むらし工程以降になったどうかの判定を行い、以降となっていればステップＳ２３ｂに進み、なっていなければステップＳ２３ｈに進む。ステップ２３ｂでは到達フラグＲＦの値が０であるかの判定を行い、０であればステップＳ２３ｃに進み、０でなければステップＳ２３ｈに進む。
【００４３】
炊飯残時間Ｔｄ、および副炊飯残時間Ｔｅは分単位なので秒単位まで正確にあらわした炊飯残時間である炊飯残秒数ｔｚａと副炊飯残秒数ｔｚｂをそれぞれステップＳ２３ｃとステップＳ２３ｄで算出する。算出式は上記実施例１に述べた通りである。
【００４４】
続くステップＳ２３ｅで炊飯残秒数ｔｚａと副炊飯残秒数ｔｚｂとの比較を行い、差がなければステップＳ２３ｆに進み、差があればステップＳ２３ｇに進む。ステップＳ２３ｆでは炊飯残秒数ｔｚａが副炊飯残秒数ｔｚｂに到達したことを示すため到達フラグＲＦを「１」に設定し、ステップＳ２３ｈに進む。ステップＳ２３ｇではさらに炊飯残秒数ｔｚａと副炊飯残秒数ｔｚｂとの比較を行い、炊飯残秒数ｔｚａの方が大きければステップＳ２３ｉに、小さければステップＳ２３ｊに進む。
【００４５】
ステップＳ２３ｈ、ステップＳ２３ｉ、ステップＳ２３ｊではともに計時タイマｔａへの加算を行う。ステップＳ２３ｈでは１秒ごとに、ステップＳ２３ｉでは０．５秒ごとに、ステップＳ２３ｊでは２秒ごとにそれぞれ計時タイマｔａに１加算し、ステップ２４へと進む。
【００４６】
このように、むらし工程以降でないか、または炊飯残時間が副炊飯残時間に到達しているとき、計時タイマｔａは１秒に１加算するよう実時間で動作し、むらし工程以降で炊飯残時間と副炊飯残時間との間に差があり、炊飯残時間の方が副炊飯残時間より値が大きいときは、計時タイマｔａを０．５秒ごとに１加算するので１秒ごとに１加算するときに比べて２倍の速度で計時することとなる。同じく、炊飯残時間の方が副炊飯残時間より値が小さいときは、計時タイマｔａを２秒ごとに１加算するので１秒ごとに１加算するときに比べて１／２倍の速度で計時することとなる。
【００４７】
ステップＳ２３の次はステップＳ２４へと進み、ステップＳ２３で計時した計時タイマｔａが６０以上になったかを判定し、なったならばステップＳ２５に進み、なっていなければステップＳ２６に進む。ステップＳ２５では炊飯残時間Ｔｄを１減算するとともに計時タイマｔａを「０」にする。ステップＳ２６では、炊飯シーケンスが進みむらし工程以降になっているかの判定を行い、なっているならばステップＳ２７に進み、なっていなければステップＳ３に戻る。
【００４８】
ステップＳ２７では副計時タイマｔｂの計時を行う。副計時タイマｔｂは１秒ごとに１加算し、実時間で計時する。そして、ステップＳ２８でこの副計時タイマｔｂが６０以上になったかを判定し、なったならばステップＳ２９に進み、なっていなければステップＳ５０に進む。ステップＳ２９では副炊飯残時間Ｔｅを１減算するとともに副計時タイマｔｂを「０」にする。
【００４９】
ステップＳ５０では炊飯残時間Ｔｄが減算されて「０」になったかを判定する。「０」になっていなければステップＳ３に戻り、「０」になっていれば炊飯を終了する。
【００５０】
以上の構成により、例えばむらし所要時間が１０分であって、むらし工程開始時に炊飯残時間Ｔｄが「１５」で計時タイマｔａが「０」だったとき、副炊飯残時間Ｔｅは初期値「１０」がセットされ、副計時タイマｔｂは「０」から計時をスタートする。かつ、秒単位まで正確にあらわした炊飯残時間である炊飯残秒数ｔｚａと副炊飯残秒数ｔｚｂを求めると、それぞれ「９００」と「６００」とになり、炊飯残秒数ｔｚａの方が値が大きい。
【００５１】
よって、むらし工程開始から２倍の速度で計時が開始され、３０秒ごとに炊飯残時間Ｔｄが減算されていく。計時速度が２倍となるので、むらし工程開始から５分経過で炊飯残時間Ｔｄは１０分ぶん減算され、炊飯残秒数ｔｚａは「３００」となる。一方、副炊飯残時間Ｔｅは実時間で減算されていくので、むらし工程開始から５分経過で５分ぶん減算され、副炊飯残秒数ｔｚｂは「３００」となる。
【００５２】
よって、むらし工程開始から５分経過で炊飯残秒数ｔｚａは副炊飯残秒数ｔｚｂと同じになり到達フラグＲＦが１にセットされ、以降炊飯残時間Ｔｄも実時間で計時されるようになる。
【００５３】
以上のように、炊飯残時間はむらし工程開始までは実時間で、むらし工程開始以降、副炊飯残時間に到達するまでは２倍の計時速度で、そして同一になって以降炊飯が終了するまでは再び実時間で動作することとなる。
【００５４】
また、例えば、むらし所要時間が１０分であって、むらし工程開始時に炊飯残時間Ｔｄが「８」で計時タイマｔａが「３０」だったとき、副炊飯残時間Ｔｅは初期値「１０」がセットされ、副計時タイマｔｂは「０」から計時をスタートする。かつ、秒単位まで正確にあらわした炊飯残時間である炊飯残秒数ｔｚａと副炊飯残秒数ｔｚｂを求めると、それぞれ「４５０」と「６００」とになり、炊飯残秒数ｔｚａの方が値が小さい。
【００５５】
よって、むらし工程開始から１／２倍の速度で計時が開始され、１２０秒ごとに炊飯残時間Ｔｄが減算されていく。計時速度が１／２倍となるので、むらし工程開始から５分経過で炊飯残時間Ｔｄは２分３０秒ぶん減算され、炊飯残秒数ｔｚａは「３００」となる。一方、副炊飯残時間Ｔｅは実時間で減算されていくので、むらし工程開始から５分経過で５分ぶん減算され、副炊飯残秒数ｔｚｂは「３００」となる。
【００５６】
よって、むらし工程開始から５分経過で炊飯残秒数ｔｚａは副炊飯残秒数ｔｚｂと同じになり、到達フラグＲＦが１にセットされ、以降炊飯残時間Ｔｄも実時間で計時されるようになる。
【００５７】
以上のように、炊飯残時間Ｔｄはむらし工程開始までは実時間で、むらし工程開始以降、副炊飯残時間に到達するまでは１／２倍の計時速度で、そして同一になって以降炊飯が終了するまでは再び実時間で動作することとなる。
【００５８】
このように、炊飯残時間を炊飯の開始からむらし工程の開始までは実時間である６０秒ごとに減算していき、むらし工程開始から副炊飯残時間が計時されていき、この副炊飯残時間に追いつくように炊飯残時間の計時速度を調整し、追いついた後は再び実時間で炊飯残時間の減算ができる。
【００５９】
この計時速度は加速方向にも減速方向にも調整できるので、減算されてきた炊飯残時間がむらし工程を始めたとき、むらし所要時間よりも長ければ加速方向に計時速度を変更し、短ければ減速方向に計時速度を変更できるので、むらし工程開始後は一定な時間で炊飯を終了することができる。そして、副炊飯残時間を計時しておりこの時間に炊飯残時間が到達すると実時間に戻して計時できるので、計時速度を変化させて計時する期間を短縮できる。また、残時間表示手段に表示されている時間も時間をとばすことなく、１分単位で減算することができる。
【００６０】
なお、本実施例では、炊飯残時間と副炊飯残時間とを比べ、それぞれ２倍速、１／２倍速で動作させるようにしているが、これは３倍や１／３倍、４倍や１／４倍でもかまわない。計時速度の倍率を上げることで計時速度が変化している期間、すなわち炊飯残時間が副炊飯残時間に到達する時間を短縮することができる。
【００６１】
（実施例３）
図１に示す残時間計時手段である液晶表示装置４は、計時する炊飯残時間が副残時間計時手段が計時する副炊飯残時間に到達すると、副残時間表示手段が計時する副炊飯残時間を表示するよう構成している。他の構成は上記実施例２と同じである。
【００６２】
上記構成において図６のフローチャートを参照しながら動作を説明する。なお、ステップＳ１からステップＳ２９までの動作は上記実施例２の動作と同じであるので説明を省略する。
【００６３】
ステップＳ５０では炊飯残時間Ｔｄが減算されて「０」になったかを判定する。「０」になっていれば炊飯を終了し、「０」になっていなければステップＳ３０に進む。ステップＳ３０では到達フラグＲＦが「０」かどうかの判定を行い、「０」であればステップＳ３に戻り、「０」でなければステップＳ３１に進む。ステップＳ３１は残時間表示手段に副炊飯残時間を表示し、ステップＳ４に進む。
【００６４】
このように炊飯残時間が副炊飯残時間に到達すると到達フラグが「１」となるので、これ以降炊飯残時間ではなく、副炊飯残時間を残時間表示手段に表示することができる。これにより、炊飯残時間の計時速度を再び実時間に戻さなくても炊飯終了まで正確な残時間表示ができる。
【００６５】
（実施例４）
図１に示す残時間計時手段である液晶表示装置４は、炊飯残時間の計時速度に実時間で計時しているときは炊飯残時間表示を点灯させ、計時速度に変化があるときは点滅表示をするよう構成している。他の構成は上記実施例１と同じである。
【００６６】
このように構成することで、むらし工程までは実時間で計時するので炊飯残時間表示は点灯表示され、むらし工程以降で炊飯残時間の計時速度が変化しているときは点滅表示することができ、使用者はその表示の違いを確認することで、炊飯残時間の計時速度が実時間であるかそうでないかを認知することができる。
【００６７】
なお、本実施例では、液晶表示装置４の点滅と点灯で計時速度の変化の有無を表現しているが、これは点滅と点灯でなくて、「変化中」と表示させるなど液晶表示装置４中に表示文字を付け加えて表現してももちろんかまわない。
【００６８】
（実施例５）
図１に示す残時間計時手段である液晶表示装置４は、炊飯開始から炊飯残時間を点滅表示し、むらし工程開始以降、炊飯残時間が副炊飯残時間に到達すると、炊飯残時間表示を点灯表示するよう構成している。他の構成は上記実施例２と同じである。
【００６９】
このように構成することで、炊飯残時間表示が点滅しているときは表示している炊飯残時間はまだ不正確で参考時間であることを示し、むらし工程開始以降、炊飯残時間が副炊飯残時間に到達すると、炊飯残時間の表示は点滅をやめ点灯表示に変わるので、点灯表示に変わって以降は表示されている時間で正確に炊飯が終了できることを知らせることができる。
【００７０】
（実施例６）
図１に示すように、加速スイッチ６は、炊飯残時間の計時速度を速めることを要求する加速要求手段を構成しており、使用者がこの加速スイッチ６を操作することにより、加速または減速の要求ができるもので、むらし工程以降、炊飯残時間が副炊飯残時間に到達していないときにこの要求があると、計時速度が加速方向ならばさらに速い速度で、減速方向ならばさらに遅い速度で計時できるようにしている。他の構成は上記実施例２と同じである。
【００７１】
上記構成において図７のフローチャートを参照しながら動作を説明する。なお、ステップＳ２３ａからステップＳ２３ｊまでの動作は上記実施例２と同じであるので説明を省略する。
【００７２】
ステップＳ２３ｋはステップＳ２３ｇで炊飯残秒数ｔｚａが副炊飯残秒数ｔｚｂより大きいと判定された後に実施され、ここで、加速スイッチ６による要求があるかどうかを判定する。要求がなければ、ステップＳ２３ｉに進み、要求があればステップＳ２３ｍに進む。ステップＳ２３ｍでは０．１秒ごとに計時タイマｔａを１加算する。
【００７３】
ステップＳ２３ｌはステップＳ２３ｇで炊飯残秒数ｔｚａが副炊飯残秒数ｔｚｂより小さいと判定された後に実施され、ここで、加速スイッチ６による要求があるかどうかを判定する。要求がなければ、ステップＳ２３ｊに進み、要求があればステップＳ２３ｎに進む。ステップＳ２３ｎでは１０秒ごとに計時タイマｔａを１加算する。
【００７４】
このように構成することで、加速要求を行うことで、加速方向ならば炊飯残時間の計時速度は２倍から１０倍へ切り替わることになるので、加速要求を出している間計時速度が速くなり、その結果、炊飯残時間が副炊飯残時間に到達する期間を短縮することができる。
【００７５】
（実施例７）
図１に示すように、切替スイッチ７は、炊飯残時間の表示の切り替えを要求する切替要求手段を構成しており、使用者がこの切替スイッチ７を操作することにより、炊飯残時間の切替要求ができるもので、むらし工程以降、炊飯残時間が副炊飯残時間に到達していないときにこの要求があると、炊飯残時間を副炊飯残時間に切り替えて表示できるようにしている。他の構成は上記実施例２と同じである。
【００７６】
このように構成することで、使用者の意志で炊飯が終わる正確な時間である副炊飯残時間の表示に切り替えることができる。
【００７７】
【発明の効果】
以上のように本発明の請求項１に記載の発明によれば、米や水を入れる鍋を加熱手段により加熱し、この加熱手段を制御手段により予め記憶されている炊飯シーケンスに従い制御し、炊飯終了までの炊飯残時間を残時間計時手段により計時し、この残時間計時手段が計時する炊飯残時間を残時間表示手段により表示するよう構成し、残時間計時手段は、計時速度が炊飯シーケンスの進行により変化するようにしたから、炊飯残時間を表示しつつ、かつその炊飯残時間は炊飯シーケンスの進行とともに計時速度を速めたり遅めたりと柔軟に変化させることができるので、結局炊飯残時間を短縮方向にも延長方向にも修正でき、そして炊飯残時間の表示は表示時間の最小単位で時間をとばすことなく連続的に減算表示することができるので、炊飯の進行とともに残時間を適切に修正しつつ、かつ使用者に違和感のない表示ができる。
【００７８】
また、請求項２記載の発明によれば、炊飯シーケンスが所定の工程を通過すると副炊飯残時間の計時を開始する副残時間計時手段を備え、残時間計時手段は、計時する炊飯残時間が前記副残時間計時手段が計時する副炊飯残時間に到達すると、標準の計時速度に戻るようにしたから、副炊飯残時間として所定の工程開始から炊飯終了までの正確な時間を設定しておくと、その工程開始時に副炊飯残時間の計時が始まり、かつ計時速度の変化した炊飯残時間がその副炊飯残時間の値に到達すると計時速度は標準に戻るので、それ以降は正確な炊飯残時間を表示することができ、炊飯の進行とともに残時間を適切に修正し、修正が終わると以降は正確な終了するまでの時間で炊飯残時間を表示することができる。
【００７９】
また、請求項３記載の発明によれば、炊飯シーケンスが所定の工程を通過すると副炊飯残時間の計時を開始する副残時間計時手段を備え、残時間表示手段は、炊飯残時間が前記副残時間計時手段が計時する副炊飯残時間に到達すると、副炊飯残時間を表示するようにしたから、副炊飯残時間として所定の工程開始から炊飯終了までの正確な時間を設定しておくと、その工程開始時に副炊飯残時間の計時が始まり、かつ計時速度の変化した炊飯残時間がその副炊飯残時間の値に到達すると残時間の表示は副炊飯残時間の表示になるので、それ以降は正確な炊飯残時間を表示することができる。
【００８０】
また、請求項４記載の発明によれば、残時間表示手段は、炊飯残時間の計時速度が変化しているときと、していないときとで表示に違いがあるようにしたから、使用者はその表示を確認することで、計時速度が変化中であるかそうでないかを認知することができる。
【００８１】
また、請求項５記載の発明によれば、残時間表示手段は、炊飯残時間が副炊飯残時間に到達すると、その旨を表示するようにしたから、使用者はその表示を確認することで、表示されている炊飯残時間が炊飯終了までの正しい時間であることを認知することができる。
【００８２】
また、請求項６記載の発明によれば、炊飯残時間の計時速度を速めることを要求する加速要求手段を備え、この加速要求手段からの要求がある場合、残時間計時手段は計時速度を更に速めて計時するようにしたから、加速要求手段からの要求があると残時間計時手段の計時速度が更に速くなるか、あるいは遅くなるので副炊飯残時間に到達する時間を早めることができる。
【００８３】
また、請求項７記載の発明によれば、炊飯残時間の表示の切替を要求する切替要求手段を備え、この切替要求手段からの要求で残時間表示手段は副炊飯残時間の表示に切り替えて表示するようにしたから、任意に副炊飯残時間の表示に切り替えることができる。
【図面の簡単な説明】
【図１】本発明の第１の実施例の炊飯器の一部ブロック化した要部回路図
【図２】同炊飯器の残時間表示手段の拡大正面図
【図３】同炊飯器の動作フローチャート
【図４】本発明の第２の実施例の炊飯器の動作フローチャート
【図５】同炊飯器の計時動作のフローチャート
【図６】本発明の第３の実施例の炊飯器の動作フローチャート
【図７】本発明の第６の実施例の炊飯器の計時動作のフローチャート
【符号の説明】
１  鍋
２  加熱手段
３  マイクロコンピュータ（制御手段、残時間計時手段）
４  液晶表示装置（残時間表示手段）
【図１】
2004313573.tif 000003
【図２】
2004313573.tif 000004
【図３】
2004313573.tif 000005
【図４】
2004313573.tif 000006
【図５】
2004313573.tif 000007
【図６】
2004313573.tif 000008
【図７】
2004313573.tif 000009